(57)【要約】【課題】【解決手段】本発明は、注射のためのエネルギ貯蔵装置としてコンデンサを備える注射装置に関する。【特許請求の範囲】
【請求項１】
少なくとも１回の注射を実行するためのエネルギ貯蔵装置としてのコンデンサを備える、注射器。
【請求項２】
コンデンサが金コンデンサ、特に、デュプレックスコンデンサである、請求項１に記載の注射装置。
【請求項３】
充電表示計、特に、電圧計がコンデンサに接続される、請求項１又は２に記載の注射装置。
【請求項４】
未だ実行可能な注射過程の回数を決定するため、プロセッサが提供される、請求項１から３の何れか１つに記載の注射装置。
【請求項５】
少なくとも１回の注射を実行できるエネルギの量を特定することが好ましい所定の最小電圧を検出すべく限界値検出器が少なくとも１つのコンデンサに接続される、請求項１から４の何れか１つに記載の注射装置。
【請求項６】
ＤＣ／ＤＣ変換器がコンデンサに接続される、請求項１から５の何れか１つに記載の注射装置。
【請求項７】
コンデンサが電磁結合を介して充電可能である、請求項１から６の何れか１つに記載の注射装置。
【請求項８】
コンデンサにより電流が供給される信号出力装置及び（又は）メモリが提供される、請求項１から７の何れか１つに記載の注射装置。
【発明の詳細な説明】
【技術分野】
【０００１】
本発明は、エネルギ貯蔵装置を備える注射装置に関する。
【背景技術】
【０００２】
ペン又は注入装置と称されることもしばしばである注射装置は、注射に必要とされるエネルギを提供し得るように交換不能な電池又はアキュムレータを具備することが好ましい。次に、注射装置を使用して、注射すべき物質を例えば、針を介して又は針無しで、皮膚を通じて身体に導入することができる。注射装置は、筆記器具とほぼ同一の大きさであることがしばしばであり、また、容易に輸送し且つ、手で操作することができる。
【０００３】
注射装置用の誘導型充電装置が当該出願人によるドイツ国特許公開第ＤＥ  １００  ０４  ３１４  Ａ号から既知である。
注射装置は、全体として小型で且つ、比較的軽量でなければならない。しかし、電池及び（又は）アキュムレータは、注射装置内に比較的広い空間を必要とする。更に、アキュムレータを極小型にすれば、その充電特性を劣化させることになる。特に、小型の電池は、例えば、携帯電話にて知られているように、かなりの量のエネルギを提供し得るように、大型の電池よりも長時間（場合によっては数時間）充電しなければならない。注射を実行するためには、比較的多量のエネルギが必要とされる。このように、より小型のアキュムレータを使用した場合、多数の注射を実行しなければならないならば、より長い時間、充電する必要があろう。しかし、充電過程が長く、従って注射前の準備時間が長いならば、かかる注射装置のユーザに受け入れ上の問題を招来することになる。
【０００４】
例えば、加圧された気体によって、エネルギを貯蔵するといった代替的な方法は、必要とされる装置に関して比較的精巧であり、従って、適度に極小型とすることはできない。
【発明の開示】
【０００５】
本発明の１つの目的は、十分な量のエネルギを貯蔵し且つ、比較的迅速に充電することのできる注射装置を提案することである。
この目的は、請求項１に記載の注射装置によって解決される。有利な実施の形態は、従属請求項に記載されている。
【０００６】
本発明によれば、例えば、針を備え、又は針無しで形成することのできる注射装置に又は注入装置内に、比較的大きい容量を有することが好ましいコンデンサが提供される。コンデンサは、比較的小型であり、また、精巧なエレクトロニクスシステムを充電する必要はない。アキュムレータと異なり、コンデンサは、アキュムレータの場合のように、その有効寿命を損なうことなく、高電流を使用して、比較的短時間、例えば、数秒以内にて迅速に充電することができる。メモリ効果とも称される多数回の充電過程後、アキュムレータが老化する場合と異なり、コンデンサは、多数の充電及び放電過程の後でさえ、一定の品質を有している。このようにして、より長い有効寿命を有する注射装置を形成することができる。
【実施例】
【０００７】
コンデンサは、例えば、磁石又は電気モータのような、注射を行なうための電気装置に少なくとも１回の注射に十分なエネルギを供給するのに十分な量の電荷又はエネルギを貯蔵することができる。このように、例えば、コンデンサからの放電電流を使用してばねを電気モータを介して圧縮することにより注射に必要とされる加速要素を十分に加速し、又は、この目的のために提供されるばねを偏倚させるのに十分な量のエネルギを貯蔵することができる。一般に、コンデンサは、注射装置を使用して注射すべき物質を分与し且つ、例えば、針を介して又は、針無しでその物質を身体内に導入することを可能にするのに十分なエネルギを貯蔵し得なければならない。
【０００８】
注射装置のエネルギ貯蔵装置として金製のコンデンサが使用されることが特に好ましい。金製のコンデンサは、例えば、１．０から１０Ｆの範囲の大きい容量にて製造し、かかる金製のコンデンサを使用することにより高充電電流を使用して比較的短い時間にて十分に多量なエネルギを注射装置内に貯蔵することが可能である。かかる金製のコンデンサは、例えば、パナソニック（Ｐａｎａｓｏｎｉｃ）会社からデュプレックスコンデンサとして入手可能である。また、大きい容量を有するコンデンサは、高電流を解放し、例えば、注射のような、エネルギ集約的な過程を実行することができる。
【０００９】
例えば、電解質製のコンデンサ又はタンタル製のコンデンサのようなその他のコンデンサは、注射装置内で電気エネルギを貯蔵するため好ましいように使用し、これらのコンデンサを使用して十分に大きい容量を提供することができる。同一又は異なる設計の多数のコンデンサを適宜に並列に接続して、提供される容量を更に増大させることができる。
【００１０】
１つ又は複数のコンデンサ内の充電レベルが表示されるようにする充電表示計が提供されることが好ましい。本発明によるエネルギ貯蔵装置のような、大きい容量のコンデンサを使用するとき、コンデンサ内に貯蔵されたエネルギの量は、コンデンサの電圧を測定するだけで比較的正確に表示することができ、ここで、該測定値は、感知し得る測定電流無しで実質的に行なうことができる。アキュムレータの広い作用範囲に亙って充電レベルをほぼ完全に表示し且つ、終了に向けた充電レベルの比較的急速な低下を表示する、アキュムレータにおける充電表示計の場合と異なり、本発明によれば、未だ利用可能なエネルギの量、すなわち、未だ実行可能である注射回数を正確に表示することが可能である。
【００１１】
この点に関して、例えば、吐出量、アンプル内の摩擦力、解放すべき物質の速度、針の長さ、針の直径又はその他のパラメータのような、注射に関係する特定のパラメータに従って、注射過程の回数、コンデンサ内に未だ十分な電気エネルギが貯蔵されているかどうかを判断することができる。
【００１２】
未だ実行可能である注射回数が例えば、ＬＣＤ又はＬＥＤディスプレイ上に又は多数の隣接するＬＥＤｓにより表示され、この場合、ディスプレイが作動したときに照明するＬＥＤｓの数は、未だ実行可能である注射過程の回数を表示するようにすることが好ましい。コンデンサは、ＬＣＤ又はＬＥＤ要素に電流を供給するために使用することもできる。
【００１３】
電圧が所定の最小電圧以下まで低下したとき、利用可能なエネルギの量が所定の値以下に減少し、また、例えば、注射のため最早、十分でないことを示す信号を出力する限界値検出器が提供されることが好ましい。電圧が未だ最小電圧以上であるコンデンサを使用して、少なくとも１回の注射過程が、未だ確実に実行可能であるように最小電圧が設定されることが好ましい。
【００１４】
電圧調整装置、特に、ＤＣ／ＤＣ変換器がコンデンサに接続され、例えば、電気モータのような、注射装置を作動させる実質的に一定の直流電圧がコンデンサにおける可変直流電圧から得られるようにすることが好ましい。バック変換器及びブースト変換器が既知であり、これらの変換器を使用して、入力電圧以上又はそれ以下の直流電圧を得ることができる。バックブースト変換器又は逆回路調整器を同様に使用することができる。
【００１５】
使用される該少なくとも１つのコンデンサは、電磁結合により外部エネルギ源から充電することができるように、接続されることが好ましい。この点に関して、充電装置の設計、装置の充電装置への結合及び充電すべき装置内のエレクトロニクスシステムの設計に関して本明細書に含めたドイツ国特許公開第ＤＥ  １００  ０４  ３１４  Ａ号を参照する。コンデンサをダイオード、好ましくは、パワーダイオード、及び誘導コイルと直列に接続し、コンデンサが常に、所望の極性にて充電されるようにすることが特に好ましい。しかし、コンデンサは、接点を介して充電することもできる。
【００１６】
注射を実行する場合と同様に、大きい容量のコンデンサは、比較的長時間に亙ってデータを保存し、また、例えば、光学式又は音響式ディスプレイのような、信号出力装置のためエネルギを都合良く提供することもできる。
【国際公開パンフレット】
2005505387.tif 000002
2005505387.tif 000003
2005505387.tif 000004
2005505387.tif 000005
2005505387.tif 000006
2005505387.tif 000007
2005505387.tif 000008
2005505387.tif 000009
【国際調査報告】
2005505387.tif 000010
2005505387.tif 000011
2005505387.tif 000012
2005505387.tif 000013
2005505387.tif 000014
2005505387.tif 000015
2005505387.tif 000016
2005505387.tif 000017